(57)【特許請求の範囲】
【請求項１】
画像を記録用紙上に形成する画像形成装置に着脱自在に装着され、記録用紙を画像形成装置から受け取って、記録用紙を後処理する画像形成装置の排紙処理装置において、
記録用紙を画像形成装置から受け取って収容する複数のビンユニットを備え、画像形成装置の側壁に、各ビンユニットを積み重ねて着脱自在に装着することにより、画像形成装置の側壁と各ビンユニットの端部間に、画像形成装置からの記録用紙が通過する搬送路を形成し、搬送路に出し入れ可能であって、搬送路に出したときに記録用紙を搬送路から導き入れるゲート爪を各ビンユニットにそれぞれ設けたことを特徴とする画像形成装置の排紙処理装置。
【請求項２】
ビンユニットは、記録用紙を収納する排紙トレイと、ゲート爪により導き入れられた記録用紙を排紙トレイへと搬送する排紙ローラとを備えることを特徴とする請求項１に記載の画像形成装置の排紙処理装置。
【請求項３】
ゲート爪を搬送路に出し入れするゲート駆動部を備え、
ゲート駆動部は、画像形成装置により制御されることを特徴とする請求項１に記載の画像形成装置の排紙処理装置。
【請求項４】
ゲート爪が搬送路に出たときに、記録用紙が搬送路からゲート爪へと滑らかに導かれる様に、ゲート爪の先端が画像形成装置の側壁に当接して嵌合することを特徴とする請求項１に記載の画像形成装置の排紙処理装置。
【請求項５】
従動搬送ローラをビンユニットの端部に設けると共に、ビンユニットを画像形成装置に装着したときに従動搬送ローラに当接する駆動搬送ローラを画像形成装置の側壁に設け、駆動搬送ローラと従動搬送ローラ間に記録用紙を挟み込んで搬送することを特徴とする請求項１に記載の画像形成装置の排紙処理装置。
【請求項６】
少なくとも一対の従動搬送ローラと、少なくとも一対の駆動搬送ローラとを備え、各従動搬送ローラの間隔及び各駆動搬送ローラの間隔を画像形成装置により処理される最小の記録用紙の両縁を挟み得る様に設定したことを特徴とする請求項５に記載の画像形成装置の排紙処理装置。
【発明の詳細な説明】
【０００１】
【発明の属する技術分野】
本発明は、プリンターや複写機等の画像形成装置の排紙処理装置に関する。
【０００２】
【従来の技術】
この種の画像形成装置においては、画像形成装置に着脱自在であって、記録済みの多数の記録用紙を仕分ける排紙処理装置をオプションとして用意している。一般的な排紙処理装置は、画像形成装置からの記録用紙を搬送したり、仕分ける機能を持たず、これらの機能を画像形成装置側に設けている。
【０００３】
例えば、実開平４−１２２５５７号公報に記載の「ソータ」では、記録用紙を搬送する搬送路、及び記録用紙を搬送路から取り出す複数の分岐ガイドを画像形成装置側に設けており、複数のビンを画像形成装置に着脱自在に装着し、各分岐ガイドのいずれかにより、記録用紙を搬送路から１つのビンへと導いている。
【０００４】
【発明が解決しようとする課題】
しかしながら、上記従来の「ソータ」では、分岐ガイドを画像形成装置側に設け、ビンを画像形成装置に着脱自在に装着しており、分岐ガイドとビンが別体であるため、分岐ガイドとビン間に大きな隙間が生じ、この隙間が原因となって、ビンから分岐ガイドに至るまでに記録用紙のジャムが発生した。また、詰まった記録用紙を排除し得る様に、ビンを容易に取り外せる構造を採用しており、これが隙間の拡大を招き、記録用紙のジャムの防止を困難にしていた。更に、記録用紙のジャムを検出するために、様々なセンサを分岐路に設ける必要があった。
【０００５】
そこで、本発明は、上記従来の問題点に鑑みてなされたものであり、記録用紙のジャムが発生し難い画像形成装置の排紙処理装置を提供することを目的とする。
【０００６】
【課題を解決するための手段】
上記課題を解決するために、本発明は、画像を記録用紙上に形成する画像形成装置に着脱自在に装着され、記録用紙を画像形成装置から受け取って、記録用紙を後処理する画像形成装置の排紙処理装置において、記録用紙を画像形成装置から受け取って収容する複数のビンユニットを備え、画像形成装置の側壁に、各ビンユニットを積み重ねて着脱自在に装着することにより、画像形成装置の側壁と各ビンユニットの端部間に、画像形成装置からの記録用紙が通過する搬送路を形成し、搬送路に出し入れ可能であって、搬送路に出したときに記録用紙を搬送路から導き入れるゲート爪を各ビンユニットにそれぞれ設けている。
【０００７】
この様な構成の本発明によれば、ゲート爪をビンユニット側に設けている。このため、ゲート爪とビンユニット間に、記録用紙のジャムの原因となる様な隙間が生じず、記録用紙を搬送路からゲート爪を通じてビンユニットへと滑らかに搬送することができる。また、画像形成装置の側壁と各ビンユニットの端部間に、搬送路を形成しているので、搬送路に対して各ビンユニットのゲート爪を容易に出し入れすることができる。更に、各ゲート爪を各ビンユニット側に設けるので、画像形成装置の構造を簡単化することができる。
【０００８】
また、本発明においては、ビンユニットは、記録用紙を収納する排紙トレイと、ゲート爪により導き入れられた記録用紙を排紙トレイへと搬送する排紙ローラとを備えている。
【０００９】
この様な構成により、記録用紙をゲート爪から排紙トレイへと導くことができる。
【００１０】
更に、本発明においては、ゲート爪を搬送路に出し入れするゲート駆動部を備え、ゲート駆動部は、画像形成装置により制御される。
【００１１】
この様な構成により、画像形成装置側で、ゲート爪の出し入れを制御することが可能になる。
【００１２】
また、本発明においては、ゲート爪が搬送路に出たときに、記録用紙が搬送路からゲート爪へと滑らかに導かれる様に、ゲート爪の先端が画像形成装置の側壁に当接して嵌合する。
【００１３】
この様にゲート爪の先端が画像形成装置の側壁に当接して嵌合すれば、ゲート爪の先端と画像形成装置の側壁間に記録用紙のジャムの原因となる様な隙間が生ぜずに済み、記録用紙を搬送路からゲート爪を通じてビンユニットへと滑らかに搬送することができる。
【００１４】
更に、本発明においては、従動搬送ローラをビンユニットの端部に設けると共に、ビンユニットを画像形成装置に装着したときに従動搬送ローラに当接する駆動搬送ローラを画像形成装置の側壁に設け、駆動搬送ローラと従動搬送ローラ間に記録用紙を挟み込んで搬送している。
【００１５】
この様な構成により、搬送路に沿って、記録用紙を搬送することが可能になる。また、従動搬送ローラをビンユニット側に設けるので、画像形成装置の構造が簡単化する。
【００１６】
また、本発明においては、少なくとも一対の従動搬送ローラと、少なくとも一対の駆動搬送ローラとを備え、各従動搬送ローラの間隔及び各駆動搬送ローラの間隔を画像形成装置により処理される最小の記録用紙の両縁を挟み得る様に設定している。
【００１７】
この場合、各従動搬送ローラと各駆動搬送ローラ間に、最小の記録用紙の両縁を挟むことができ、この記録用紙を真っ直ぐに搬送することができる。
【００１８】
【発明の実施の形態】
以下、本発明の実施形態を添付図面を参照して詳細に説明する。
【００１９】
図１は、本発明の画像形成装置の排紙処理装置の一実施形態を示す側面図である。図１に示す画像形成装置１は、多機能型のものであって、複写機、印刷機、ファクシミリ装置等の機能を果たす。この画像形成装置１は、プリンター２と、スキャナー３と、自動原稿搬送装置４とを備えており、更にオプションの排紙処理装置５及び多段給紙装置６を装備している。
【００２０】
自動原稿搬送装置４においては、原稿が原稿セットトレイ４０に載置されると、原稿をプラテンガラス３０上に搬送して位置決めし、原稿の画像をスキャナー３によって読み取った後に、原稿を原稿排出トレイ４２へと搬送して排出する。また、搬送不可能な原稿をプラテンガラス３０上に配置し得る様に、自動原稿搬送装置４の一辺を枢支し、装置４全体の開閉を可能にしている。
【００２１】
スキャナー３においては、自動読み取りモード及びマニュアル操作読み取りモードのいずれかを選択して設定することができる。前者の自動読み取りモードを選択した場合は、原稿搬送装置４によるプラテンガラス３０上への原稿の搬送と連動して、原稿の画像を読み取る。後者のマニュアル操作読み取りモードを選択した場合は、マニュアル操作に応答して、プラテンガラス３０上に配置された原稿の画像を読み取る。いずれのモードであっても、第１及び第２走査ユニット３１、３２を相互に所定の速度関係を維持しつつ移動し、第１走査ユニット３１によってプラテンガラス３０上に配置された原稿の画像を露光し、第１及び第２走査ユニット３１、３２によって原稿からの反射光をレンズ３３へと導き、レンズ３３によって原稿の画像を光電変換素子（ＣＣＤ）３４上に結像する。ＣＣＤ３４は、原稿の画像を主走査方向に繰り返し走査して読み取り、原稿の画像を示す画像データを出力する。
【００２２】
プリンター２においては、スキャナー３からの画像データや外部装置（例えばパーソナルコンピュータ）からの画像データを入力し、画像データによって示される画像を記録用紙に記録する。
【００２３】
プリンタ制御部２４は、電子写真プロセス部２０を制御したり、外部装置からの画像データを受け入れるためのインターフェイスの役目を果たす。画像制御部２５は、外部装置からの画像データに所定の画像処理を施したり、画像データに応じて光走査ユニット２２を駆動制御する。
【００２４】
電子写真プロセス部２０は、感光体ドラム２００、帯電ローラ２０１、光走査ユニット２２、現像ユニット２０２、転写ユニット２０３、クリーニングユニット２０４、及び除電ユニット（図示せず）等を備えている。感光体ドラム２００は、一方向に回転している。帯電ローラ２０１は、感光体ドラム２００表面を均一に帯電させる。光走査ユニット２２は、画像データに応じて変調された光ビーム（光像）を形成し、光ビームによって感光体ドラム２００表面を主走査方向に繰り返し走査して、感光体ドラム２００表面に静電潜像を形成する。現像ユニット２０２は、トナーを感光体２００表面に供給する。このトナーが感光体ドラム２００表面の静電潜像に付着して、トナー像が形成される。転写ユニット２０３は、下方から搬送されてきた記録用紙と感光体ドラム２００とを重ね合わせ、トナー像を感光体ドラム２００から記録用紙へと転写する。クリーニングユニット２０４は、感光体ドラム２００表面に残留しているトナーを除去する。除電ユニットは、感光体ドラム２００表面の電荷を除去する。
【００２５】
電子写真プロセス部２０の上方には、定着装置２３が配置されている。定着装置２３は、記録用紙を加熱及び加圧して、トナー像を記録用紙に定着させる。
【００２６】
更に、記録用紙は、各排出ローラ２８によって搬送され、排紙処理装置５の中継パスユニット８へと受け渡される。
【００２７】
また、記録用紙の裏面にも画像を記録するときには、記録用紙の搬送が一旦停止され、記録用紙が中継パスユニット８からプリンター２へと逆向きに搬送される。プリンター２では、分岐爪２５１を回転させ、分岐爪２５１により記録用紙を反転用搬送路２５０へと導き、記録用紙を反転用搬送路２５０通じて再び電子写真プロセス２０へと搬送し、これにより記録用紙の表裏を反転させ、記録用紙の裏面に画像を記録する。こうして表裏に画像を記録された記録用紙は、各排出ローラ２８によって搬送され、排紙処理装置５の中継パスユニット８へと受け渡される。
【００２８】
また、プリンター２の下側には、用紙給紙部２１を配置している。用紙給紙部２１は、記録用紙を積層して収容する用紙収容トレイ２１０と、用紙収容トレイ２１０から記録用紙を１枚ずつ分離して取り出し、記録用紙を電子写真プロセス部２０へと供給する分離供給部２１１とを備えている。記録用紙は、転写ユニット２０３へと搬送され、更に定着装置２３を介して各排出ローラ２８へと搬送される。尚、用紙収容トレイ２１０を画像形成装置１本体から引き出すことができ、引き出した状態で、記録用紙を用紙収容トレイ２１０に補給する。
【００２９】
次に、多段給紙装置６は、オプションであって、画像形成装置１に対して着脱自在である。多段給紙装置６においては、複数種類の記録用紙をそれぞれの用紙収容トレイ６１０に収納している。各分離供給部６１１は、記録用紙をそれぞれの用紙収容トレイ６１０から分離して取り出し、記録用紙をプリンター２の用紙受口２７を通じて電子写真プロセス部２０へと送り出す。尚、各用紙収容トレイ６１０を多段給紙装置６本体から引き出すことができ、引き出した状態で、記録用紙を各用紙収容トレイ６１０に補給する。また、各用紙収容トレイの数及び大きさ等を適宜に変更しても構わない。
【００３０】
多段給紙装置６上には、プリンター２及びオプションの排紙処理装置５を載置している。また、スキャナー３及び自動原稿搬送装置４は、システムラック７上に載置されている。多段給紙装置６の底には、各移動コロ６３及び各固定部６４を設けている。各固定部６４を多段給紙装置６の底にねじ込んで、各固定部６４を床面から離間させ、各移動コロ６３によって多段給紙装置６を支持すれば、多段給紙装置６を移動させることができる。この状態で、多段給紙装置６、プリンター２、及び排紙処理装置５をシステムラック７の内側に移動させて配置する。この後、各固定部６４を回転し突出させて、各固定部６４を床面に接触させ、各固定部６４によって多段給紙装置６を固定する。このとき、排紙処理装置５の中継パスユニット８とスキャナー３間には、空間が形成される。
【００３１】
次に、排紙処理装置５は、オプションであって、画像形成装置１に対して着脱自在であり、中継パスユニット８及び後処理ユニット９を備えている。
【００３２】
中継パスユニット８は、プリンター２から記録用紙を受け取って、記録用紙を後処理ユニット９へと搬送する中継パス８４と、プリンター２から記録用紙を一旦受け取り、記録用紙をプリンター２へと戻すスイッチバックパス８３と、プリンター２からの記録用紙を中継パス８４及びスイッチバックパス８３のいずれかに導くゲート板８１とを有する。ゲート板８１は、揺動可能であり、その先端を下方に向けると、記録用紙が中継パス８４へと導かれ、またその先端を上方に向けると、記録用紙がスイッチバックパス８３へと導かれる。
【００３３】
中継パス８４には、一方向に回転する各搬送ローラ８５を設けており、各搬送ローラ８５によって記録用紙を後処理ユニット９へと導く。また、スイッチバックパス８３には、記録用紙を載せる載置板８６、及び正逆回転可能な各搬送ローラ８７を設けている。各搬送ローラ８７だけでなく、プリンター２の各搬送ローラ２８も正逆回転可能である。記録用紙をスイッチバックパス８３へと導いたときには、記録用紙の後端をプリンター２の各搬送ローラ２８間に挟み込み、記録用紙を載置板８６上に載せた状態で、各搬送ローラ８７及び各搬送ローラ２８を停止して、記録用紙の搬送を一旦停止する。この後、各搬送ローラ８７及び各搬送ローラ２８を逆回転し、記録用紙をプリンター２へと逆向きに搬送する。プリンター２では、先に述べた様に分岐爪２５１により記録用紙を反転用搬送路２５０へと導き、記録用紙を反転用搬送路２５０通じて再び電子写真プロセス２０へと搬送し、記録用紙の裏面に画像を記録する。
【００３４】
後処理ユニット９では、記録用紙をプリンター２から中継パス８４を通じて受け取り、記録用紙に対して後処理を施す。後処理としては、ステーブル処理やソート処理等がある。
【００３５】
次に、本実施形態の排紙処理装置５における後処理ユニット９を更に詳しく説明する。本実施形態の後処理ユニット９は、複数のビンユニット９１を備えており、各ビンユニット９１を着脱自在に画像形成装置１に装着することができる。各ビンユニット９１の端部９１ａと画像形成装置１の側壁９２間には、搬送路９３が形成される。各ビンユニット９１の端部９１ａにそれぞれの従動搬送ローラ９４を設けると共に、画像形成装置１の側壁９２に各駆動搬送ローラ９５を設け、各従動搬送ローラ９４と各駆動搬送ローラ９５を相互に圧接させ、各駆動搬送ローラ９５を駆動回転させ、各従動搬送ローラ９４を従動回転させている。後処理ユニット９では、中継パスユニット８からの記録用紙を各搬送ローラ９６を通じて搬送経路９３へと導き、各従動搬送ローラ９４と各駆動搬送ローラ９５により記録用紙を搬送路９３に沿って搬送している。
【００３６】
各ビンユニット９１は、ゲート爪９７と、上下の各排紙ローラ９８とを備えている。ゲート爪９７及び上下の各排紙ローラ９８は、画像形成装置１により駆動される。ゲート爪９７は、搬送路９３に対して出し入れ可能に軸支されており、搬送路９３へと倒されて出されたときに、記録用紙を搬送路９３から取り込む。ビンユニット９１の上下の排紙ローラ９８は、上下に隣合う他の各ビンユニット９１の排紙ローラ９８に圧接し、一方のローラが駆動され、他方のローラが従動し、ゲート爪９７により搬送路９３から取り込んだ記録用紙を排紙トレイ９９へと搬送する。
【００３７】
画像形成装置１では、例えば複写モードが設定されているときに、上段のビンユニット９１のゲート爪９７のみを搬送路９３側に倒して出し、記録用紙を搬送路９３からゲート爪９７を通じて上段のビンユニット９１の排紙トレイ９９へと導く。また、印刷モードが設定されているときに、中段のビンユニット９１のゲート爪９７のみを搬送路９３側に倒して出し、記録用紙を搬送路９３からゲート爪９７を通じて中段のビンユニット９１の排紙トレイ９９へと導く。同様に、ファクシミリモードが設定されているときに、下段のビンユニット９１のゲート爪９７のみを搬送路９３側に倒して出し、記録用紙を搬送路９３からゲート爪９７を通じて下段のビンユニット９１の排紙トレイ９９へと導く。
【００３８】
各ゲート爪９７は、各ビンユニット９１側に設けられたものである。このため、ゲート爪９７とビンユニット９１本体との隙間を十分に狭く設定することができ、ゲート爪９７から排紙トレイ９９に至るまでの分岐路に、記録用紙のジャムの原因となる様な隙間が生じない。
【００３９】
また、各ビンユニット９１のゲート爪９７は、搬送路９３側に倒されて出されたときに、その先端が画像形成装置１の側壁９２の凹部９２ａに嵌合する。このため、ゲート爪９７の先端と側壁９２間に、記録用紙のジャムの原因となる様な隙間が生ぜずに済み、記録用紙を搬送路からゲート爪９７を通じて排紙トレイ９９へと滑らかに導くことができる。
【００４０】
尚、各ビンユニット９１の装着数は、任意であって、利用者の都合により適宜に設定する。
【００４１】
図２は、ビンユニット９１を前方から見て示す斜視図である。また、図３は、ビンユニット９１を後方から見て示す斜視図である。図２及び図３から明らかな様に、ゲート爪９７は、ビンユニット９１の後部に軸支されており、軸１０１をクランク１０２を介してソレノイド１０３のプランジャー１０３ａに連結している。ソレノイド１０３は、画像形成装置１により駆動制御され、プランジャー１０３ａを移動する。プランジャー１０３ａが出ているときには、ゲート爪９７がビンユニット９１側でほぼ垂直に立ち、またプランジャー１０３ａが引き込まれたときには、ゲート爪９７が搬送路９３へと倒れ出て、その先端が画像形成装置１の側壁９２の凹部９２ａに嵌合する。
【００４２】
また、ゲート爪９７の先端近傍は、櫛状になっている。この櫛状の先端は、ゲート爪９７がビンユニット９１側でほぼ垂直に立ったときに、上方の他のビンユニット９１の後部の空間に収納される。
【００４３】
ビンユニット９１の端部９１ａには、一対の従動搬送ローラ９４を軸支している。また、ビンユニット９１の上下に、各排紙ローラ９８を軸支している。
【００４４】
ビンユニット９１の排紙トレイ９９には、引き出したり押し込むことが可能なスライド板１０５を設けている。記録用紙のサイズが排紙トレイ９９よりも大きいときに、スライド板１０５を引き出して用いる。
【００４５】
図４は、各ビンユニット９１が装着される画像形成装置１の側壁９２近傍を示している。図４から明らかな様に、画像形成装置１の側壁９２には、複数対の駆動搬送ローラ９５を設けている。一対の駆動搬送ローラ９５は、１つのビンユニット９１の一対の従動搬送ローラ９４に圧接する。一対の駆動搬送ローラ９５の間隔並びに一対の従動搬送ローラ９４の間隔は、画像形成装置１により処理される最小の記録用紙の両縁を挟み得る様に設定されている。これにより、最小の記録用紙であっても、この記録用紙を真っ直ぐに搬送することができる。
【００４６】
また、画像形成装置１の側壁９２には、各ビンユニット９１のゲート爪９７が嵌合するそれぞれの凹部９２ａを形成している。
【００４７】
更に、側壁９２の両側の壁１０６には、各ビンユニット９１を位置決めするためのそれぞれの円板状ガイド部材１０７を設けている。
【００４８】
ここでは、画像形成装置１の側壁９２の構造を見易くするために、各ビンユニット９１を下側から積み重ねているが、通常は、任意の数の各ビンユニット９１を最も上段から下側へと積み重ねる。図５は、最多数の各ビンユニット９１を画像形成装置１に装着した状態を示している。
【００４９】
この様に本実施形態の排紙処理装置５では、各ゲート爪９７を各ビンユニット９１側に設けているので、ゲート爪９７とビンユニット９１本体との隙間を十分に狭く設定することができる。また、各ビンユニット９１のゲート爪９７を搬送路９３側に倒して出したときに、その先端が画像形成装置１の側壁９２の凹部９２ａに嵌合する。このため、搬送経路９２からゲート爪９７を通じて排紙トレイ９９に至るまでの分岐路に、記録用紙のジャムの原因となる様な隙間が生ぜず、記録用紙を搬送路から排紙トレイ９９へと滑らかに導くことができる。また、記録用紙のジャムを検出するためのセンサの数を減少させることができる。
【００５０】
尚、本発明は、上記実施形態に限定されるものではなく、特許請求の範囲を逸脱しない程度に変形することができる。
【００５１】
【発明の効果】
以上説明した様に本発明によれば、ゲート爪をビンユニット側に設けている。このため、ゲート爪とビンユニット間に、記録用紙のジャムの原因となる様な隙間が生じず、記録用紙を搬送路からゲート爪を通じてビンユニットへと滑らかに搬送することができる。また、画像形成装置の側壁と各ビンユニットの端部間に、搬送路を形成しているので、搬送路に対して各ビンユニットのゲート爪を容易に出し入れすることができる。更に、各ゲート爪を各ビンユニット側に設けるので、画像形成装置の構造を簡単化することができる。
【００５２】
また、本発明によれば、ビンユニットは、記録用紙を収納する排紙トレイと、ゲート爪により導き入れられた記録用紙を排紙トレイへと搬送する排紙ローラとを備えており、記録用紙をゲート爪から排紙トレイへと導くことができる。
【００５３】
更に、本発明によれば、画像形成装置側で、ビンユニットのゲート爪の出し入れを制御することができる。
【００５４】
また、本発明によれば、ゲート爪の先端が画像形成装置の側壁に当接して嵌合するので、ゲート爪の先端と画像形成装置の側壁間に、記録用紙のジャムの原因となる様な隙間が生ぜずに済み、記録用紙を搬送路からゲート爪を通じてビンユニットへと滑らかに搬送することができる。
【００５５】
更に、本発明によれば、従動搬送ローラをビンユニットの端部に設けると共に、従動搬送ローラに当接する駆動搬送ローラを画像形成装置の側壁に設けているので、搬送路に沿って、記録用紙を搬送することができる。また、従動搬送ローラをビンユニット側に設けるので、画像形成装置の構造が簡単化する。
【００５６】
また、本発明によれば、各従動搬送ローラの間隔及び各駆動搬送ローラの間隔を画像形成装置により処理される最小の記録用紙幅に応じて設定しているので、各従動搬送ローラと各駆動搬送ローラ間に、最小の記録用紙の両縁を挟むことができ、この記録用紙を真っ直ぐに搬送することができる。
【図面の簡単な説明】
【図１】本発明の画像形成装置の排紙処理装置の一実施形態を示す側面図である。
【図２】図１の排紙処理装置のビンユニットを前方から見て示す斜視図である。
【図３】図１の排紙処理装置のビンユニットを後方から見て示す斜視図である。
【図４】図１の排紙処理装置の各ビンユニットが装着される画像形成装置の側壁近傍を示す斜視図である。
【図５】図１の排紙処理装置の最多数のビンユニットを画像形成装置に装着した状態を示す斜視図である。
【符号の説明】
１  画像形成装置
２  プリンター
３  スキャナー
４  自動原稿搬送装置
５  排紙処理装置
６  多段給紙装置
７  システムラック
８  中継パスユニット
９  後処理ユニット
９１  ビンユニット
９２  側壁
９３  搬送路
９４  従動搬送ローラ
９５  駆動搬送ローラ
９６  搬送ローラ
９７  ゲート爪
９８  排紙ローラ
９９  排紙トレイ
【図１】
0003748382.tif 000002
【図２】
0003748382.tif 000003
【図３】
0003748382.tif 000004
【図４】
0003748382.tif 000005
【図５】
0003748382.tif 000006